(57)【要約】  ＤＣオフセットを低減させる方法は、第１の可変信号と第２の可変信号を比較することと、前記比較に基づいて制御信号を生成することと、フィードバック信号を発生させる電荷ポンプに制御信号を供給することと、フィードバック信号に従って第１の信号および／または第２の信号を変え、それによって第１の信号のＤＣレベルと第２の信号のＤＣレベルとの差を低減させることとを含む。
2009524321.tif 000002
【特許請求の範囲】
【請求項１】
ＤＣオフセットを低減させる方法であって、可変である第１の信号を可変である第２の信号と比較することと、比較に基づき制御信号を生成することと、フィードバック信号を発生させる電荷ポンプに該制御信号を供給することと、該フィードバック信号に従って該第１の信号および／または該第２の信号を変え、それによって該第１の信号のＤＣレベルと該第２の信号のＤＣレベルとの差を低減させることとを含むことを特徴とする方法。
【請求項２】
前記電荷ポンプの電流シンクに前記制御信号を供給する段階をさらに含むことを特徴とする請求項１に記載の方法。
【請求項３】
前記フィードバック信号を発生させるコンデンサに前記電荷ポンプの出力を供給する段階をさらに含むことを特徴とする請求項１または２に記載の方法。
【請求項４】
前記フィードバック信号は、前記コンデンサの両端の電位差に比例することを特徴とする請求項３に記載の方法。
【請求項５】
前記第１の信号と前記第２の信号とは、同じ入力信号からそれぞれ得られることを特徴とする請求項１〜４のいずれか１項に記載の方法。
【請求項６】
前記第１の信号と前記第２の信号とは、受信した無線周波数信号、好適には受信した無線周波数ＤＡＢ信号のダウンコンバージョンによってそれぞれ得られることを特徴とする請求項１〜５のいずれか１項に記載の方法。
【請求項７】
前記第１の信号と前記第２の信号の入力信号は、前記無線周波数信号の同相成分または直交成分からそれぞれ得られることを特徴とする請求項６に記載の方法。
【請求項８】
前記第１の信号は前記入力信号を第１のフィルタに適用した結果であり、前記第２の信号は前記入力信号を第２のフィルタに適用した結果であり、好適には該第１のフィルタは該第２のフィルタに対して約１８０°位相がずれていることを特徴とする請求項５〜７のいずれか１項に記載の方法。
【請求項９】
前記第１の信号は前記第２の信号に対して位相がずれており、好適には前記第１の信号は前記第２の信号に対して約１８０°位相がずれていることを特徴とする請求項１〜８のいずれか１項に記載の方法。
【請求項１０】
前記第１の信号は、ＤＡＢ受信器の同相または直交チャネルの正の経路上の信号を有し、前記第２の信号は、該チャネルの負の経路上の信号を有することを特徴とする請求項１〜９のいずれか１項に記載の方法。
【請求項１１】
前記フィードバック信号よりも早い少なくとも１つの値に従うとともに、前記比較に従って前記フィードバック信号を生成することをさらに含むことを特徴とする請求項１〜１０のいずれか１項に記載の方法。
【請求項１２】
前記第１の信号が前記第２の信号よりも高いとき前記フィードバック信号を増加させ、前記第２の信号が前記第１の信号よりも高いとき前記フィードバック信号を減少させることをさらに含むことを特徴とする請求項１１に記載の方法。
【請求項１３】
前記第１の信号が前記第２の信号よりも所定の量だけ超えて高いときのみ、前記フィードバック信号を増加させ、前記第２の信号が前記第１の信号よりも所定の量だけ超えて高いときのみ、前記フィードバック信号を減少させることをさらに含むことを特徴とする請求項１２に記載の方法。
【請求項１４】
ＤＣオフセットを低減させる装置であって、可変である第１の信号および／または可変である第２の信号を変えるように構成される増幅手段と、該第１の信号と該第２の信号とを比較し、該比較に基づいて制御信号を生成するように構成される手段と、フィードバック信号を生成し、該フィードバック信号を該増幅手段に戻すための手段とを含み、該フィードバック信号を生成する手段は、該制御信号を受信するように構成され、電荷ポンプを有し、該増幅手段はさらに、該フィードバック信号を受信し、該フィードバック信号に従って該第１の信号および／または該第２の信号を変えて、該第１の信号のＤＣレベルと該第２の信号のＤＣレベルとの差を低減させるように構成されることを特徴とする装置。
【請求項１５】
前記フィードバック信号を生成する手段は、前記フィードバック信号よりも早い少なくとも１つの値に従うとともに、前記比較に従って前記フィードバック信号を生成するように構成されることを特徴とする請求項１２に記載の装置。
【請求項１６】
前記フィードバック信号を生成する手段は、前記第１の信号が前記第２の信号よりも高いとき前記フィードバック信号を増加させ、前記第２の信号が前記第１の信号よりも高いとき前記フィードバック信号を減少させるように構成されることを特徴とする請求項１３に記載の装置。
【請求項１７】
前記電荷ポンプは電流シンクを含み、該電流シンクは前記制御信号を受信する入力を有することを特徴とする請求項１４〜１６のいずれか１項に記載の装置。
【請求項１８】
前記フィードバック信号を生成する手段はコンデンサを含み、該コンデンサは前記電荷ポンプからの出力を受信するように構成されることを特徴とする請求項１４〜１７のいずれか１項に記載の装置。
【請求項１９】
前記フィードバック信号を生成する手段は、前記コンデンサの両端の電位差に従ってフィードバック信号を変えるように構成されることを特徴とする請求項１８に記載の装置。
【請求項２０】
前記フィードバック信号を生成する手段は、コンデンサの両端の電位差を変えるための手段を含み、該コンデンサの両端の電位差を変えるための手段は、前記第１の信号が前記第２の信号よりも高いとき前記コンデンサの両端の電位差を増加させ、前記第２の信号が前記第１の信号よりも高いとき前記コンデンサの両端の電位差を減少させるように構成されることを特徴とする請求項１８または１９に記載の装置。
【請求項２１】
前記電荷ポンプは、前記コンデンサに接続される電流源を含み、該電流源は、前記第１の信号が前記第２の信号よりも高いとき第１の電流を出力し、前記第２の信号が前記第１の信号よりも高いとき第２の電流を出力するように構成されることを特徴とする請求項２０に記載の装置。
【請求項２２】
前記第１の信号と前記第２の信号とは、同じ入力信号からそれぞれ得られることを特徴とする請求項１４〜２１のいずれか１項に記載の装置。
【請求項２３】
前記第１の信号と前記第２の信号とは、受信した無線周波数の信号、好適には受信した無線周波数のＤＡＢ信号のダウンコンバージョンによってそれぞれ得られることを特徴とする請求項１４〜２２のいずれか１項に記載の方法。
【発明の詳細な説明】
【発明の詳細な説明】
【０００１】
本発明は、信号、特にＦＭまたはデジタルオーディオブロードキャスティング（ＤＡＢ）電波受信器などの電波受信器における信号中のＤＣオフセットを減少させる方法および装置に関する。
【０００２】
本発明は、特に、受信した無線信号を搬送周波数から中間周波数へダウンコンバージョンする結果として信号中のＤＣオフセットを低減させることに関し、より詳細には、受信した無線信号を搬送周波数からベースバンド周波数に直接ダウンコンバージョンにより生じる信号に関する。
【０００３】
当該技術において、検出およびその他の処理を行う前に、搬送周波数で受信したＦＭ無線信号を低周波の中間周波数（ＩＦ）にダウンコンバートすることが公知である。これには、検出およびその他の処理段を、中間周波数の周りの比較的狭い周波数範囲で動作するように設計すればよいという、という利点がある。
【０００４】
同様に、検出およびその他の処理を行う前に、搬送周波数のＤＡＢ無線信号を低周波の中間周波数（ＩＦ）にダウンコンバートすることが公知である。処理の最終段において、ＩＦ信号を、ベースバンド周波数に再度ダウンコンバートする。
【０００５】
別法として、中間周波数への第１のダウンコンバートなしに、ＤＡＢ無線信号を搬送周波数からベースバンド周波数へ直接ダウンコンバートすることが公知である。その場合、搬送周波数で動作する受信器において、搬送周波数での無線信号は局部発振器（ＬＯ）からの信号と混合される。しかし、ＤＡＢ無線信号の直接ダウンコンバージョンについての重大な問題は、たとえば、受信器のアンテナで受信した信号にフィードバックする、あるいは受信器回路のその他の構成要素へフィードバックする局部発振器からの干渉のために、大きなＤＣオフセットがダウンコンバートした信号中に導入されることがよくある。
【０００６】
ダウンコンバートした信号をダウンコンバートした信号の期待ＤＣレベルを表す一定の基準信号と比較し、この比較に従ってダウンコンバートした信号のＤＣレベルを変えるように動作するフィードバック回路を含むことによって、ダウンコンバートした信号のＤＣオフセットを低減する試みが公知である。しかし、フィードバック回路をそのように使用することは問題がある。なぜなら、期待ＤＣレベルは、増幅器などの受信器回路の構成要素の特性に依存し、該特性は、構成要素ごとに異なり、また経時変化を起こすであろうからである。したがって、期待ＤＣレベルは、一定の基準信号とは異なり、あるいは一定の基準信号からドリフトし、その結果、別のＤＣオフセット問題を引き起こす。
【０００７】
本発明の目的は、信号中のＤＣオフセットを減少させる改良された方法および装置、あるいは少なくとも代替となる方法および装置を提供することである。したがって、第１の態様において、ＤＣオフセットを低減させる方法であって、可変である第１の信号を可変である第２の信号と比較することと、該比較に基づいて制御信号を生成することと、フィードバック信号を発生させる電荷ポンプに該制御信号を供給することと、該フィードバック信号に従って該第１の信号および／または該第２の信号を変え、それによって該第１の信号のＤＣレベルと該第２の信号のＤＣレベルとの差を低減させることとを含む方法が提供される。
【０００８】
基準信号よりも、第１の信号と第２の信号とを互いに比較することによって、基準信号に対する第１または第２の信号の期待ＤＣレベルのドリフトによる誤差を防止できる。これは、第１の信号と第２の信号とが同じあるいは類似のＤＣレベルを持つことが期待される際に、例えば、第１の信号と第２の信号とが同じ入力回路を通過する場合、あるいは第１の信号と第２の信号とが同じ信号の成分である場合、特に優位性がある。特に本方法は、装置の不整合、局部発振器のフィードスルー自己混合、および二次歪によるＤＣ誤差を訂正することができる。
【０００９】
前記比較は、前記第１の信号のＤＣレベルを前記第２の信号のＤＣレベルと比較することを含んでもよい。
【００１０】
別法として、あるいは付加的に、前記比較は、前記第１の信号の瞬間電圧レベルを前記第２の信号の瞬間電圧レベルと比較することを含んでもよい。前記比較は、前記第１の信号の瞬間の大きさを前記第２の信号の瞬間の大きさと比較することを含んでもよい。
【００１１】
好適に、前記第１の信号および／または前記第２の信号を変えることは、前記第１の信号のＤＣレベルおよび／または前記第２の信号のＤＣレベルを変えることを含む。
【００１２】
通常第１の信号と第２の信号は、時間変動信号である。そのような場合、フィードバック信号に従う第１の信号および／または第２の信号の変化は、第１の信号と第２の信号の比較をしてフィードバック信号を生成した時点よりも第１の信号および／または第２の信号において時間的に遅い時点に当てはめられる。しかし、第１の信号と第２の信号との比較と、結果としてのフィードバック信号を第１の信号および／または第２の信号に適用することとの時間差は、第１の信号および／または第２の信号のＤＣレベルが変化する時間スケールに比べて、通常は小さい。
【００１３】
時間変動の第１および第２の信号の場合、本方法は、連続的に生じる第１の信号と第２の信号との比較と、連続的に生成されるフィードバック信号とによって、典型的には前記比較と、結果としてのフィードバック信号に従うＤＣレベルの変化との小さな時間差によって、フィードバックループとして通常連続的に実行される。そのため、各瞬間の第１の信号の瞬間電圧を、その瞬間に関する第２の信号の瞬間電圧と比較してもよい。
【００１４】
好適に、前記比較は、前記第１の信号の大きさを前記第２の信号の大きさと比較する。
本方法は、前記電荷ポンプの電流シンクに前記制御信号を供給する段階をさらに含んでもよい。
【００１５】
本方法は、前記フィードバック信号を発生させるコンデンサに前記電荷ポンプの出力を供給する段階をさらに含んでもよい。
【００１６】
前記フィードバック信号は、前記コンデンサの両端の電位差に比例してもよい。
好適に、前記第１の信号と前記第２の信号とは、同じ入力信号からそれぞれ得られる。そのため、例えば、前記第１の信号と前記第２の信号とが、同じ入力信号のそれぞれの成分であるかまたは含み、および／または、第１の信号と第２の信号とが、同じ入力信号に適用されるそれぞれの処理段階から結果として生じる信号であるかまたは含む。
【００１７】
好適に、前記第１の信号と前記第２の信号とは、受信した無線周波数信号、好適には受信した無線周波数ＤＡＢ信号のダウンコンバージョンによって、それぞれ得られる。好適に、前記第１の信号と前記第２の信号は、無線周波数信号の同相成分または直交成分からそれぞれ得られる。
【００１８】
前記第１の信号は前記入力信号を第１のフィルタに適用した結果でもよく、前記第２の信号は前記入力信号を第２のフィルタに適用した結果でもよく、好適には該第１のフィルタは該第２のフィルタに対して約１８０°位相がずれている。好適に、前記第１のフィルタは前記第２のフィルタに対して１８０°位相がずれている。
【００１９】
前記第１の信号は前記第２の信号に対して位相がずれていてもよく、好適には前記第１の信号は前記第２の信号に対して約１８０°位相がずれている。より好適に、前記第１の信号は前記第２の信号に対して１８０°位相がずれている。
【００２０】
第１の信号は第２の信号に対して位相がずれている場合、第１の信号と第２の信号の比較は、第１の信号の大きさと第２の信号の大きさとの比較である（その場合、例示として、特定の瞬間に第１の信号はたとえば２Ｖの瞬間値を持ち、第２の信号はたとえば−２Ｖの瞬間値を持ち、第１の信号が第２の信号に対してたとえば１８０°位相がずれていれば、その瞬間に信号は同じ大きさを持つと考えられる）。
【００２１】
前記第１の信号は、ＤＡＢ受信器の同相または直交チャネルの正の経路上の信号を有してもよく、前記第２の信号は、該チャネルの負の経路上の信号を有してもよい。
【００２２】
本方法は、前記フィードバック信号よりも早い少なくとも１つの値に従うとともに前記比較に従って前記フィードバック信号を生成することをさらに含んでもよい。
【００２３】
このように、フィードバック信号の値は、フィードバック信号の早い値と、第１の信号と第２の信号の比較の結果とに、依存する。これは、第２の信号のＤＣレベルに対する第１の信号のＤＣレベルが急激かつ鋭く変化する場合に、特に有利である。
【００２４】
好適に、本方法は、前記第１の信号が前記第２の信号よりも高いとき前記フィードバック信号を増加させ、前記第２の信号が前記第１の信号よりも高いとき前記フィードバック信号を減少させることをさらに含む。
【００２５】
本方法は、前記第１の信号が前記第２の信号よりも所定の量だけ超えて高いときのみ、前記フィードバック信号を増加させ、前記第２の信号が前記第１の信号よりも所定の量だけ超えて高いときのみ、前記フィードバック信号を減少させることをさらに含んでもよい。
【００２６】
第１の信号が第２の信号よりも所定の量に満たないで高いとき、あるいは第１の信号が第２の信号よりも所定の量に満たないで低いとき、好適にフィードバック信号は変化しない。このように、第１の信号のレベルと第２の信号のレベルの差が小さくＤＣレベルを変化させるフィードバックがないようにする。
【００２７】
さらに別の態様において、ＤＣオフセットを低減させる装置であって、第１の信号および／または第２の信号を変えるように構成される増幅手段と、該第１の信号と該第２の信号とを比較し、該比較に基づいて制御信号を生成するように構成される手段と、フィードバック信号を生成し、該フィードバック信号を該増幅手段に戻すための手段とを含み、該フィードバック信号を生成する手段は、該制御信号を受信するように構成され、電荷ポンプを有し、該増幅手段はさらに、該フィードバック信号を受信し、該フィードバック信号に従って該第１の信号および／または該第２の信号を変えて、該第１の信号のＤＣレベルと該第２の信号のＤＣレベルとの差を低減させるように構成される装置が提供される。
【００２８】
前記増幅手段は、負のゲイン、正のゲイン、あるいは単一ゲインを有してもよい。
前記増幅手段は、前記第１の信号のＤＣレベルおよび／または前記第２の信号のＤＣレベルを変えるように構成されてもよい。比較手段は、前記第１の信号のＤＣレベルと前記第２の信号のＤＣレベルを比較するように構成されてもよい。別法として、あるいは付加的に、前記比較手段は、前記第１の信号の瞬間電圧レベルと前記第２の信号の瞬間電圧レベルを比較するように構成されてもよい。
【００２９】
好適に、前記フィードバック信号を生成する手段は、前記フィードバック信号よりも早い少なくとも１つの値に従うとともに、前記比較に従って前記フィードバック信号を生成するように構成される。
【００３０】
前記フィードバック信号を生成する手段は、前記第１の信号が前記第２の信号よりも高いとき前記フィードバック信号を増加させ、前記第２の信号が前記第１の信号よりも高いとき前記フィードバック信号を減少させるように構成されてもよい。
【００３１】
好適に、前記電荷ポンプは電流シンクを含み、該電流シンクは前記制御信号を受信する入力を有する。
【００３２】
好適に、前記フィードバック信号を生成する手段はコンデンサを含み、該コンデンサは前記電荷ポンプからの出力を受信するように構成される。
【００３３】
好適に、前記フィードバック信号を生成する手段は、前記コンデンサの両端の電位差に従ってフィードバック信号を変えるように構成される。
【００３４】
コンデンサを用いて、フィードバックループを減衰させてもよい。コンデンサの値は、第１の信号のＤＣレベルと第２の信号のＤＣレベルの差の起こりえる経時変化に関する好適な時定数を有するように選択してもよい。
【００３５】
好適に、前記フィードバック信号を生成する手段は、コンデンサの両端の電位差を変えるための手段を含み、該コンデンサの両端の電位差を変えるための手段は、前記第１の信号が前記第２の信号よりも高いとき前記コンデンサの両端の電位差を増加させ、前記第２の信号が前記第１の信号よりも高いとき前記コンデンサの両端の電位差を減少させるように構成される。
【００３６】
前記電荷ポンプは、前記コンデンサに接続される電流源を含んでもよく、該電流源は、前記第１の信号が前記第２の信号よりも高いとき第１の電流を出力し、前記第２の信号が前記第１の信号よりも高いとき第２の電流を出力するように構成されてもよい。
【００３７】
好適に、前記第１の信号と前記第２の信号とは、同じ入力信号からそれぞれ得られる。前記第１の信号と前記第２の信号とは、受信した無線周波数の信号、好適には受信した無線周波数のＤＡＢ信号のダウンコンバージョンによってそれぞれ得られてもよい。
【００３８】
本発明の１つの態様におけるすべての特徴を、あらゆる適切な組合せで、本発明の別の態様に適用してもよい。特に、装置の特徴を方法の特徴に適用してもよく、その逆もまたしかりである。
【００３９】
添付の図面に基づいて、本発明の実施形態の好適な特徴を、単なる一例として説明する。
【００４０】
図１に示すＤＡＢ電波受信器チップの部分は、固定ゲイン増幅（ＦＧＡ）段６に接続される入力２，４を備える。別の入力８もＦＧＡ段に接続される。
【００４１】
完全な差動回路を用いるので、理想的な場合に大きさが等しく、位相が１８０度異なるｐ経路とｎ経路とからなる差動信号を、各段は出力する。実際には、ｐ経路およびｎ経路上の信号の大きさは異なってもよい。
【００４２】
好適な実施形態における固定ゲイン増幅段６は、１対の差動増幅器（図示せず）を備えるが、固定ゲイン増幅段を設ける他の方法も当然想定される。
【００４３】
ＦＧＡ段６の出力はローパスフィルタ（ＬＰＦ）１０に接続され、さらに可変ゲイン増幅器（ＶＧＡ）段１２に接続される。可変ゲイン増幅器段２０の出力１４，１６は、ミキサ段（図示せず）およびコンパレータ１８に接続される。
【００４４】
コンパレータ１８の出力は、電荷ポンプ中に含まれる電流シンク２０に接続される。電荷ポンプも電流源２２中に含まれる。電荷ポンプの出力は、コンデンサ２４の一方の側に接続され、またスケーリングバッファ２６の入力にも接続される。スケーリングバッファ２６の出力は、ＦＧＡ６の別の入力８に戻って接続される。
【００４５】
入力２，４は、ＤＡＢ受信器チップに関するアンテナ（図示せず）で受信した無線周波数ＤＡＢ信号のダウンコンバージョン／処理を行うダウンコンバージョン／処理回路（図示せず）に接続され、ダウンコンバージョン／処理回路から信号を受信する。好適な実施形態における無線周波数ＤＡＢ信号は、差動四相位相偏移変調（ＤＱＰＳＫ）を用い、標準プロトコルに従って変調される。
【００４６】
動作の際に、入力２，４の信号は、典型的に約２００ＭＨｚの搬送周波数からベースバンド周波数にダウンコンバートされている。入力２，４の信号は、約８００ＫＨｚの帯域幅を典型的に有する。
【００４７】
入力２の信号は、ダウンコンバート信号の同相（Ｉ）チャネルの正の（ｐ）経路であり、入力４の信号は負の（ｎ）経路である。図１に示すものと等価の別の回路が、受信器チップ上に存在し、ダウンコンバートされた信号の直交（Ｑ）チャネルのｐ経路およびｎ経路を処理するために用いられる。
【００４８】
動作の際に、入力２でのｐ経路上の信号と入力４でのｎ経路上の信号とは、ともにＦＧＡ６を通過し、それぞれの信号は、増幅されてＦＧＡのそれぞれの出力に出力される。
【００４９】
ＦＧＡは、別の入力８に入る信号の値に従うｐ経路およびｎ経路上の信号の相対ＤＣレベルを変えるように動作可能である。好適な実施形態において、別の入力８はＦＧＡに含まれる差動増幅器（図示せず）の１つの入力に接続され、入力２は差動増幅器の別の入力に接続される。ＦＧＡの出力でのｐ経路上の信号のＤＣレベルは、入力２での信号の相対値と別の入力８での信号とに依存する。
【００５０】
ＦＧＡ６の出力は、ローパスフィルタ１０に接続される。ローパスフィルタ１０は、約８０ＫＨｚの帯域幅を有し、ｐ経路およびｎ経路上の信号をろ波して所望の帯域幅の外の不必要な信号を除去する。
【００５１】
次に、ｎ経路およびｐ経路上のろ波された信号は、ＶＧＡ１２を通過する。ＶＧＡ１２は、ｎ経路およびｐ経路上の信号が所望の振幅になることを確保するために動作する。次に、ｎ経路およびｐ経路上の信号は、ミキサ（図示せず）を通過する。ここで、ｎ経路およびｐ経路上の信号は、この場合約２ＭＨｚの中間周波数にアップコンバートされる。
【００５２】
ｎ経路およびｐ経路上の信号をアップコンバートすることによって、ｎ経路およびｐ経路上の信号が中間周波数で動作するように設計された下流の回路に構成することが確保される。
【００５３】
好適な実施形態の変形例において、信号は、ベースバンド周波数で動作するように設計された下流の回路を通過する。この場合、信号を中間周波数へアップコンバートする必要がなく、ミキサ段が省略される。
【００５４】
再び図１を参照すると、ＶＧＡ２０の出力も、ｎ経路上の信号をｐ経路上の信号と比較するコンパレータ１８を通過する。
【００５５】
コンパレータ１８によるｎ経路上の信号とｐ経路上の信号との比較は、ｎ経路上の瞬間電圧の大きさとｐ経路上の瞬間電圧の大きさとの比較である。
【００５６】
各瞬間で、ｐ経路上の信号がｎ経路上の信号よりも所定の量だけ超えて大きいとコンパレータ１８はハイ信号を出力し、またｐ経路上の信号がｎ経路上の信号よりも所定の量だけ超えて小さいとコンパレータ１８はロー信号を出力する。
【００５７】
ｐ経路上の信号がｎ経路上の信号よりも所定の量だけ満たないで大きい場合、あるいはｐ経路上の信号がｎ経路上の信号よりも所定の量だけ満たないで小さい場合、コンパレータの出力は変化しない（ハイの状態にあればハイの状態のままであり、ローの状態であればローの状態のままである）。これによって、コンパレータにはある種のヒステリシスがあることが理解できる。
【００５８】
コンパレータの出力は、電荷ポンプの電流シンク２０を制御する。電流シンク２０は、コンパレータ１８からハイ信号を受信するとオンに切り替わり、コンパレータ１８からロー信号を受信するとオフに切り替わる。
【００５９】
電荷ポンプの出力はコンデンサ２４に接続され、コンデンサの両端の電位差は、オンオフに切り替わる電流シンクに応じて変化することが分かる。
【００６０】
オンに切り替ったときに電流シンク２０によって出力される電流は、電荷ポンプの電流源２２の２倍である。このため、電流シンク制御信号での５０％デューティサイクルによって、コンデンサ両端の電位差は平均して一定レベルに維持されることになることが分かる。コンパレータが時間の５０％でハイ信号を出力し、時間の５０％でロー信号を出力すれば、コンデンサ両端の電位差は、やがて一定に落ち着く長期間平均値になる。
【００６１】
一般に、電位差の長期間平均値が一定であっても、電流シンク２０のオンへの切り替えおよび電源オンによって、コンデンサ両端の電位差には短期間の変動がある。それらの短期間変動の大きさは、コンデンサ２４の時定数に依存する。
【００６２】
コンデンサ２４は、スケーリングバッファ２６に接続される。スケーリングバッファ２６はコンデンサ２４の両端の電位差に比例し、ＦＧＡ６の別の入力８に戻される信号を出力する。スケーリングバッファは、ＦＧＡ６への入力値が好適な範囲内になるように、その出力信号を増減する。好適な実施形態において、コンデンサ２４の両端の電位差を、０Ｖ〜＋３Ｖの範囲内で変えることが可能であり、これは、−３００ｍＶ〜＋３００ｍＶのスケーリングバッファからの出力範囲に相当する。
【００６３】
ＦＧＡの別の入力８での信号がコンデンサ２４の両端の電位差に依存し、別の入力８での信号のレベルは、ＦＧＡの出力でのｎ経路上の信号とｐ経路上の信号との相対的なレベルを決定するので、ＦＧＡの出力でのｎ経路上の信号とｐ経路上の信号との相対的なＤＣレベルは、コンデンサ２４の両端の電位差に依存することが、上記説明から理解できる。
【００６４】
ＦＧＡ６の出力でのｎ経路上の信号とｐ経路上の信号との相対的なレベルは、前に送られてコンパレータ１８の出力信号を決定し、次にそれによってコンデンサ２４の両端の電位差を決めるので、図１の回路は、ｎ経路上の信号のＤＣレベルとｐ経路上の信号のＤＣレベルとの差を低減させるように動作可能な、負のフィードバックループとして動作することが理解できる。
【００６５】
図１の装置の各段は、種々のやり方で実施可能であることが理解されるであろう。それゆえ、たとえば、好適な実施形態においてスケーリングバッファ段は、電圧分配器に接続されるトランスインピーダンス回路を備えるが、スケーリングバッファ段を実施するその他のやり方が当然可能である。同様に、好適な実施形態においてＦＧＡ段は、それぞれがバイパス抵抗器を備える１対の差動増幅器を有するが、ＦＧＡ段を実施するその他のやり方を当然想定することができる。
【００６６】
本発明を単なる例示として上記に説明したが、詳細の変形例が本発明の範囲内において可能であることを理解すべきである。
【００６７】
明細書に開示した各特徴、（必要に応じて）特許請求の範囲および図面を、独立にあるいは適切な組合せで設けることができる。
【図面の簡単な説明】
【００６８】
【図１】ＤＡＢ電波受信器チップの一部の概略図である。
【図１】
2009524321.tif 000003
【国際調査報告】
2009524321.tif 000004
2009524321.tif 000005